(57)【要約】      （修正有）【課題】燃料電池システムを小型化できる加湿器を提供する。【解決手段】加湿器２４は、略箱状のケース５０と、このケース５０に収納された複数の中空糸膜と、を備え、中空糸膜を介して燃料電池から排出されたエアオフガスと、燃料電池に供給されるエアと、の間で水分を移動させる。ケース５０には、燃料電池から排出されて中空糸膜を通流したガスが排出される外周流出口５６が形成され、加湿器２４は、この外周流出口５６の開口面積を調整可能な流出口面積調整装置７０を備える。【選択図】図２
2010146809.tif 000002
【特許請求の範囲】
【請求項１】
略箱状のケースと、当該ケースに収納された複数の膜体と、を備え、当該膜体を介して燃料電池から排出されたガスと、前記燃料電池に供給されるガスと、の間で水分を移動させる加湿器であって、
前記ケースには、前記燃料電池から排出されて前記膜体を通流したガスが排出される流出口が形成され、
当該流出口の開口面積を調整可能な流出口面積調整手段を備えることを特徴とする加湿器。
【請求項２】
前記流出口面積調整手段は、前記ケースの流出口の上を移動可能な流出口遮蔽部と、
当該流出口遮蔽部を移動させる流出口遮蔽部移動機構と、を備えることを特徴とする請求項１に記載の加湿器。
【請求項３】
前記ケースには、前記燃料電池から排出されたガスが流入する流入口が形成され、
当該流入口の開口面積を調整可能な流入口面積調整手段を備えることを特徴とする請求項１または２に記載の加湿器。
【請求項４】
前記流入口面積調整手段は、前記ケースの流入口の上を移動可能な流入口遮蔽部と、
当該流入口遮蔽部を移動させる流入口遮蔽部移動機構と、を備えることを特徴とする請求項３に記載の加湿器。
【請求項５】
前記流出口面積調整手段は、前記燃料電池に要求する出力に応じて前記流出口遮蔽部移動機構を制御する制御部をさらに備えることを特徴とする請求項１から４のいずれかに記載の加湿器。
【請求項６】
前記流入口面積調整手段は、前記燃料電池が必要とする加湿量に応じて前記流入口遮蔽部移動機構を制御する制御部をさらに備えることを特徴とする請求項３から５のいずれかに記載の加湿器。
【発明の詳細な説明】
【技術分野】
【０００１】
本発明は、加湿器に関する。詳しくは、燃料電池システムを搭載した自動車に用いられる加湿器に関する。
【背景技術】
【０００２】
近年、自動車の新たな動力源として燃料電池システムが注目されている。燃料電池システムは、例えば、反応ガスを化学反応させて発電する燃料電池と、反応ガス流路を介して燃料電池に反応ガスを供給する反応ガス供給装置と、この反応ガス供給装置を制御する制御装置と、を備える。
【０００３】
燃料電池は、例えば、数十個から数百個のセルが積層されたスタック構造である。ここで、各セルは、膜電極構造体（ＭＥＡ）を一対のセパレータで挟持して構成され、膜電極構造体は、アノード電極（陽極）およびカソード電極（陰極）の２つの電極と、これら電極に挟持された固体高分子電解質膜とで構成される。
【０００４】
この燃料電池のカソード電極側には、エア供給路を介して、エアポンプからエアが供給される。燃料電池のアノード電極側には、水素供給路を介して、水素タンクから水素ガスが供給される。
また、燃料電池１０のカソード電極側には、エア排出路が接続され、このエア排出路の途中には、背圧弁および希釈装置が設けられる。燃料電池のアノード電極側には、水素排出路が接続され、この水素排出路は、上述の希釈装置に接続される。
【０００５】
ところで、上述のように、燃料電池における化学反応はＭＥＡ膜で行われるが、このＭＥＡ膜の湿度がある程度確保できないと、イオンの交換が十分行われないため、以上の燃料電池システムには、圧縮機から燃料電池に供給されるエアと、燃料電池から排出されるエアオフガスと、の間で水分交換を行う加湿装置が設けられる。具体的には、この加湿装置は、エア供給路およびエア排出路の途中に設けられる。
【０００６】
この加湿器は、例えば、箱状のケースと、このケースに収納された複数の中空糸膜と、を備える。この加湿装置は、ケースを通して中空糸膜の外側に導入されたガスと、ケースを通して中空糸膜の内側に導入されたガスと、の間で水分を移動させる（特許文献１参照）。
【０００７】
以上の燃料電池システムでは、水素タンクにより、燃料電池のアノード電極に反応ガスとしての水素ガスを供給し、エアポンプにより、カソード電極に反応ガスとしての酸素を含むエアを供給すると、電気化学反応により発電する。
燃料電池から排出された水素オフガスは、水素排出路を介して、希釈装置に流入する。また、背圧弁を適当な開度で開くことにより、燃料電池から排出されたエアオフガスは、エア排出路を介して、希釈装置を通り、外部に排出される。ここで、希釈装置内に滞留した水素オフガスは、希釈装置を通るエアオフガスに吸引されて、希釈されて外部に排出される。
【特許文献１】特開平６−１３２０３８号公報
【発明の開示】
【発明が解決しようとする課題】
【０００８】
しかしながら、上述の燃料電池システムでは、エア排出路に加湿器に加えて背圧弁を設ける必要があり、システムが大型化する、という問題があった。
【０００９】
本発明は、燃料電池システムを小型化できる加湿器を提供することを目的とする。
【課題を解決するための手段】
【００１０】
本発明の加湿器（例えば、後述の加湿器２４）は、略箱状のケース（例えば、後述のケース５０）と、当該ケースに収納された複数の膜体（例えば、後述の中空糸膜６２）と、を備え、当該膜体を介して燃料電池（例えば、後述の燃料電池１０）から排出されたガス（例えば、後述のエアオフガス）と、前記燃料電池に供給されるガス（例えば、後述のエア）と、の間で水分を移動させる加湿器であって、前記ケースには、前記燃料電池から排出されて前記膜体を通流したガスが排出される流出口（例えば、後述の外周流出口５６）が形成され、当該流出口の開口面積を調整可能な流出口面積調整手段（例えば、後述の流出口面積調整装置７０）を備えることを特徴とする。
【００１１】
この発明によれば、燃料電池から排出されて膜体を通流したガスが排出される流出口をケースに形成し、さらに、この流出口の開口面積を調整可能な流出口面積調整手段を設けた。よって、流出口面積調整手段が従来の背圧弁の役割を担うこととなり、背圧弁が不要となるので、燃料電池システムを小型化できる。
【００１２】
この場合、前記流出口面積調整手段は、前記ケースの流出口の上を移動可能な流出口遮蔽部（例えば、後述の流出口遮蔽部７１）と、当該流出口遮蔽部を移動させる流出口遮蔽部移動機構（例えば、後述の流出口遮蔽部移動機構７２）と、を備えることが好ましい。
【００１３】
この発明によれば、流出口遮蔽部および流出口遮蔽部移動機構を含んで流出口面積調整手段を構成したので、簡素な構成で流出口の開口面積を調整できる。
【００１４】
この場合、前記ケースには、前記燃料電池から排出されたガスが流入する流入口（例えば、後述の外周流入口５５）が形成され、当該流入口の開口面積を調整可能な流入口面積調整手段（例えば、後述の流入口面積調整装置８０）を備えることが好ましい。
【００１５】
燃料電池から排出されたガスの圧力が高くなると、このガスに含まれる水蒸気量が少なくなり、水蒸気に成り得なかった水分は凝縮する。すると、水蒸気と結露水とを含むガスが膜体を通流することになり、加湿器の加湿効率が低下する、という問題がある。
そこで、本発明によれば、流入口の開口面積を調整可能な流入口面積調整手段を設けた。よって、流入口の開口面積を小さくすることにより、加湿器内のガスの圧力を低くできるので、上記作用に加え、ガスに含まれる水蒸気量を増加させて、加湿器の加湿効率を向上できる。
【００１６】
この場合、前記流入口面積調整手段は、前記ケースの流入口の上を移動可能な流入口遮蔽部（例えば、後述の流入口遮蔽部８１）と、当該流入口遮蔽部を移動させる流入口遮蔽部移動機構（例えば、後述の流入口遮蔽部移動機構８２）と、を備えることが好ましい。
【００１７】
この発明によれば、流入口遮蔽部および流入口遮蔽部移動機構を含んで流入口面積調整手段を構成したので、簡素な構成で流入口の開口面積を調整できる。
【００１８】
この場合、前記流出口面積調整手段は、前記燃料電池に要求する出力に応じて前記流出口遮蔽部移動機構を制御する制御部（例えば、後述の制御装置３０）をさらに備えることが好ましい。
【００１９】
この発明によれば、燃料電池に要求する出力に応じて流出口遮蔽部移動機構を制御する制御部を設けた。例えば、燃料電池に要求する出力が小さい場合には、燃料電池内の圧力を低くするため、流出口遮蔽部を移動させて流出口の開口面積を大きくして、燃料電池からガスが排出されやすくする。一方、燃料電池に要求する出力が大きい場合には、燃料電池内の圧力を高くするため、流出口遮蔽部を移動させて流出口の開口面積を小さくして、燃料電池からガスが排出されにくくする。よって、燃料電池の要求する出力に応じて、燃料電池内を適正な圧力に調整して、燃料電池の発電効率を向上できる。
【００２０】
この場合、前記流入口面積調整手段は、前記燃料電池が必要とする加湿量に応じて前記流入口遮蔽部移動機構を制御する制御部をさらに備えることが好ましい。
【００２１】
この発明によれば、燃料電池が必要とする加湿量に応じて流入口遮蔽部移動機構を制御する制御部を設けた。例えば、燃料電池が必要とする加湿量が少ない場合には、加湿器内のガスの圧力を高くするため、流入口遮蔽部を移動させて流入口の開口面積を大きくして、加湿器内にガスが流入しやすくする。一方、燃料電池が必要とする加湿量が多い場合には、加湿器内のガスの圧力を低くして加湿効率を高めるため、流入口遮蔽部を移動させて流入口の開口面積を小さくして、加湿器内にガスを流入しにくくする。よって、燃料電池が必要とする加湿量に応じて、加湿器内を適正な圧力に調整して、燃料電池の発電効率を向上できる。
【発明の効果】
【００２２】
本発明によれば、燃料電池から排出されて膜体を通流したガスが排出される流出口をケースに形成し、さらに、この流出口の開口面積を調整可能な流出口面積調整手段を設けた。よって、流出口面積調整手段が従来の背圧弁の役割を担うこととなり、背圧弁が不要となるので、燃料電池システムを小型化できる。
【発明を実施するための最良の形態】
【００２３】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る加湿器が適用された燃料電池システム１のブロック図である。
燃料電池システム１は、車両に搭載され、反応ガスを反応させて発電を行う燃料電池１０と、この燃料電池１０に水素ガスやエア（空気）を供給する供給装置２０と、これらを制御する制御部としての制御装置３０と、を有する。
【００２４】
このような燃料電池１０は、アノード電極（陽極）側にアノードガスとしての水素ガスが供給され、カソード電極（陰極）側にカソードガスとしての酸素を含むエアが供給されると、電気化学反応により発電する。
【００２５】
供給装置２０は、燃料電池１０のカソード電極側にエアを供給するエアポンプ２１と、アノード電極側に水素ガスを供給する水素タンク２２と、燃料電池１０から排出されるガスを処理する希釈器２３と、燃料電池１０に供給されるエアを加湿する加湿器２４と、を含んで構成される。
【００２６】
エアポンプ２１は、エア供給路４１を介して、燃料電池１０のカソード電極側に接続されている。
燃料電池１０のカソード電極側には、エア排出路４２が接続され、このエア排出路４２の途中には、上述の希釈器２３が設けられる。
また、エア排出路４２の燃料電池１０近傍には、圧力センサ４２１が設けられている。
【００２７】
水素タンク２２は、水素供給路４３を介して、燃料電池１０のアノード電極側に接続されている。
燃料電池１０のアノード電極側には、水素排出路４４が接続され、この水素排出路４４は、希釈器２３に接続される。
【００２８】
エア供給路４１およびエア排出路４２の途中には、上述の加湿器２４が設けられる。加湿器２４は、中空糸膜６２を用いて、エア排出路４２を流れるエアオフガスに含まれる水分を、エア供給路４１を流れるエアに移動させることにより、燃料電池１０に供給されるエアを加湿する。
【００２９】
図２は、加湿器２４の斜視図であり、図３は、加湿器２４の断面図である。図４（ａ）は、図３のＸ−Ｘ断面図であり、図４（ｂ）は、図３のＹ−Ｙ断面図である。なお、これら図２〜図４において、燃料電池１０から排出される湿潤気体であるエアオフガスの流れを白矢印で示し、燃料電池１０に供給される乾燥気体であるエアの流れを黒矢印で示す。
【００３０】
加湿器２４は、円柱形状であり、外周流出口５６が形成され、その内部空間と外部とを仕切れるように構成された略箱状のケース５０と、このケース５０の外周流出口５６の開口面積を調整する流出口面積調整手段としての流出口面積調整装置７０と、ケース５０に収納された複数の膜体としての中空糸膜６２と、を備える。
【００３１】
ケース５０は、両端が開放された円筒形状の筒部５１と、この筒部５１の両端側内周面に形成されて筒部５１の両端を塞ぐポッティング部５２ａ、５２ｂと、を備える。
ポッティング部５２ａ、５２ｂは、ポッティング（樹脂盛り）により形成されている。
筒部５１の長手方向一端面（ポッティング部５２ａが形成された側）を端部流入口５３とし、他端面（ポッティング部５２ｂが形成された側）を端部流出口５４とする。
【００３２】
筒部５１の長手方向他端側（ポッティング部５２ｂが形成された側）の外周面には、８個の外周流入口５５が周方向に所定間隔おきに形成されている。また、筒部５１の長手方向一端側（ポッティング部５２ａが形成された側）の外周面には、８個の外周流出口５６が周方向に所定間隔おきに形成されている。
外周流入口５５および外周流出口５６は、筒部５１のポッティング部５２ａ、５２ｂよりも内側の位置に形成されており、これら外周流入口５５および外周流出口５６を通して、ケース５０の内部と外部とが連通している。
【００３３】
流出口面積調整装置７０は、ケース５０の外周面に設けられた流出口遮蔽部７１と、この流出口遮蔽部７１を移動させる流出口遮蔽部移動機構７２と、を備える。
流出口遮蔽部７１は、円環形状であり、ケース５０の外周面を覆うように設けられている。これにより、この流出口遮蔽部７１は、ケース５０の外周流出口５６の上を移動可能となっている。
【００３４】
流出口遮蔽部移動機構７２は、送りねじ機構であり、ねじが刻設された軸部７２１と、この軸部７２１を回転駆動する進退モータ７２２と、を備える。軸部７２１は、流出口遮蔽部７１のナット部７１１に螺合されている。
この流出口遮蔽部移動機構７２によれば、進退モータ７２２を駆動することにより軸部７２１が回転し、流出口遮蔽部７１をケース５０の軸方向に沿って移動することができる。
【００３５】
中空糸膜６２は、ケース５０の長手方向に沿って延びており、これら中空糸膜６２の両端側は、ポッティング部５２ａ、５２ｂを貫通して、外部に露出している。よって、中空糸膜６２の一端側は、ケース５０の端部流入口５３に連通し、他端側は、ケース５０の端部流出口５４に連通している。
【００３６】
中空糸膜６２は、内側から外側に至る内径数ｎｍ（ナノメートル）の微細な毛管を多数有している。これらの毛管中では、蒸気圧が低下して容易に水分が凝縮し、この凝縮した水分は、毛管現象により吸い出されて中空糸膜を透過する。
【００３７】
次に、加湿器２４の動作を説明する。
まず、ケース５０の端部流入口５３に乾燥気体であるエアを導入するとともに、ケース５０の外周流入口５５に湿潤気体であるエアオフガスを導入する。
【００３８】
エアは、端部流入口５３から各中空糸膜６２の内部に流入し、各中空糸膜６２の内側を通流して、端部流出口５４から排出される。
一方、エアオフガスは、ケース５０の外周流入口５５からケース５０内に流入し、ケース５０内に配置された各中空糸膜６２の外側を通流して、外周流出口５６から排出される。
【００３９】
このように中空糸膜６２の内側をエアが通流し、中空糸膜６２の外側をエアオフガスが通流すると、これらのガスの間で水分が移動する。
具体的には、中空糸膜６２の外側ではエアオフガス中の水分が凝縮し、内側では水分が蒸発する。同時に、中空糸膜６２の外側から内側に向けて、外側で凝縮したエアオフガスの水分が毛管現象により供給される。これにより、中空糸膜６２の内側を通流するエアの加湿が行われる。つまり、中空糸膜６２の内側と外側を通流するガスの水分含有量の差を推進力として、水透過（水分離）が行われる。
【００４０】
上述の制御装置３０は、供給装置２０を制御して、以下の手順で燃料電池１０を発電させる（図１）。
すなわち、エアポンプ２１を駆動することにより、エア供給路４１を介して、燃料電池１０のカソード側にエアを供給する。同時に、水素タンク２２から、水素供給路４３を介して、燃料電池１０のアノード側に水素ガスを供給する。
【００４１】
燃料電池１０に供給された水素ガスおよびエアは、発電に供された後、燃料電池１０からアノード側の生成水などの残留水と共に、水素オフガスおよびエアオフガスとして、水素排出路４４およびエア排出路４２に流入する。
その後、水素オフガスは、希釈器２３に流入し、希釈器２３においてエアオフガスで希釈されて、外部に排出される。
【００４２】
ここで、制御装置３０は、燃料電池１０に要求する出力に応じて流出口遮蔽部移動機構７２を制御することにより、流出口遮蔽部７１を移動させて、外周流出口５６の開口面積を調整する。
すなわち、図５に示すように、燃料電池１０に要求する出力が小さい場合には、燃料電池１０内の圧力を低くする。この場合、外周流出口５６の開口面積を大きくして、燃料電池１０からガスが排出されやすくする。
一方、燃料電池１０に要求する出力が大きい場合には、燃料電池１０内の圧力を高くする。この場合、外周流出口５６の開口面積を小さくして、燃料電池１０からガスが排出されにくくする。
【００４３】
具体的には、制御装置３０は、燃料電池１０に要求する出力に応じて、目標とする燃料電池１０内の圧力を設定する。そして、この設定した圧力値を中心とする所定範囲に、圧力センサ４２１で測定される圧力が収まるように、流出口遮蔽部移動機構７２を制御する。
【００４４】
すなわち、以下の図６のフローチャートに従い、圧力センサ４２１で測定した圧力値が所定の範囲（第１の圧力値から第２の圧力値までの範囲）に収まるように、流出口遮蔽部７１を制御する。
【００４５】
ステップＳ１では、イグニッションがオンされて燃料電池システムが起動し、燃料電池１０で発電が開始される。
ステップＳ２では、圧力センサ４２１で測定した圧力値が所定の第１の圧力値より高いか否かを判定する。この判定がＹＥＳである場合には、ステップＳ３に移り、流出口遮蔽部７１の位置を調整して、外周流出口５６の開口面積を増大させる。一方、この判定がＮＯである場合には、ステップＳ４に移る。
【００４６】
ステップＳ４では、圧力センサ４２１で測定した圧力値が所定の第２の圧力値より低いか否かを判定する。この判定がＹＥＳである場合には、ステップＳ５に移り、流出口遮蔽部７１の位置を調整して、外周流出口５６の開口面積を減少させる。一方、この判定がＮＯである場合には、ステップＳ６に移る。
ステップＳ６では、燃料電池１０の発電を継続するか否かを判定する。この判定がＹＥＳである場合には、ステップＳ２に戻り、ＮＯである場合には、ステップＳ７に移り、燃料電池の発電を終了する。
【００４７】
本実施形態によれば、以下のような効果がある。
（１）燃料電池１０から排出されて中空糸膜６２の外側の面を通流したエアオフガスが排出される外周流出口５６をケース５０に形成し、さらに、この外周流出口５６の開口面積を調整可能な流出口面積調整装置７０を設けた。よって、流出口面積調整装置７０が従来の背圧弁の役割を担うこととなり、背圧弁が不要となるので、燃料電池システム１を小型化できる。
【００４８】
（２）流出口遮蔽部７１および流出口遮蔽部移動機構７２を含んで流出口面積調整装置７０を構成したので、簡素な構成で外周流出口５６の開口面積を調整できる。
【００４９】
（３）燃料電池１０に要求する出力に応じて流出口遮蔽部移動機構７２を制御する制御装置３０を設けた。よって、燃料電池１０の要求する出力に応じて、燃料電池１０内を適正な圧力に調整して、燃料電池１０の発電効率を向上できる。
【００５０】
〔第２実施形態〕
図７は、本発明の第２実施形態に係る加湿器２４Ａの斜視図である。
本実施形態では、加湿器２４Ａに、ケース５０の外周流入口５５の開口面積を調整する流入口面積調整手段としての流入口面積調整装置８０が設けられている点が、第１実施形態と異なる。
【００５１】
流入口面積調整装置８０は、ケース５０の外周面に設けられた流入口遮蔽部８１と、この流入口遮蔽部８１を移動させる流入口遮蔽部移動機構８２と、を備える。
流入口遮蔽部８１は、円環形状であり、ケース５０の外周面を覆うように設けられている。これにより、この流入口遮蔽部８１は、ケース５０の外周流入口５５の上を移動可能となっている。
【００５２】
流入口遮蔽部移動機構８２は、送りねじ機構であり、ねじが刻設された軸部８２１と、この軸部８２１を回転駆動する進退モータ８２２と、を備える。軸部８２１は、流入口遮蔽部８１のナット部８１１に螺合されている。
この流入口遮蔽部移動機構８２によれば、進退モータ８２２を駆動することにより軸部８２１が回転し、流入口遮蔽部８１をケース５０の軸方向に沿って移動することができる。
【００５３】
また、制御装置３０は、燃料電池１０が必要とする加湿量に応じて流入口遮蔽部移動機構８２を制御することにより、流入口遮蔽部８１を移動させて、外周流入口５５の開口面積を調整する。
すなわち、燃料電池が必要とする加湿量が少ない場合には、加湿器２４Ａ内のガスの圧力を高くするため、外周流入口５５の開口面積を大きくして、加湿器２４Ａ内にガスが流入しやすくする。一方、燃料電池が必要とする加湿量が多い場合には、加湿器２４Ａ内のガスの圧力を低くして加湿効率を高めるため、外周流入口５５の開口面積を小さくして、加湿器２４Ａ内にガスが流入しにくくする。
【００５４】
本実施形態によれば、上述の（１）〜（３）の効果に加えて、以下のような効果がある。
（４）外周流入口５５の開口面積を調整可能な流入口面積調整装置８０を設けた。よって、外周流入口５５の開口面積を小さくすることにより、加湿器２４Ａ内のエアオフガスの圧力を低くできるので、このエアオフガスに含まれる水蒸気量を多くして、加湿器２４Ａの加湿効率を向上できる。
【００５５】
（５）流入口遮蔽部８１および流入口遮蔽部移動機構８２を含んで流入口面積調整装置８０を構成したので、簡素な構成で外周流入口５５の開口面積を調整できる。
【００５６】
（６）制御装置３０により、燃料電池１０が必要とする加湿量に応じて流入口遮蔽部移動機構８２を制御した。よって、燃料電池１０が必要とする加湿量に応じて、加湿器２４Ａ内を適正な圧力に調整して、燃料電池１０の発電効率を向上できる。
【００５７】
なお、本発明は前記実施形態に限定されるものではなく、本発明の目的を達成できる範囲での変形、改良等は本発明に含まれるものである。
例えば、上述の各実施形態では、加湿器２４をカソード電極側に設けたが、これに限らず、ＭＥＡ膜の材質によっては、アノード電極側に取り付けてもよい。
また、上述の各実施形態では、膜体を中空糸膜６２としたが、これに限らず、平板状の平膜としてもよい。
また、上述の各実施形態では、加湿器２４、２４Ａを円柱形状としたが、これに限らず、直方体形状としても略箱状のケースとして適している。
【００５８】
また、上述の各実施形態では、筒部５１の外周面に端部流入口５３を設けて、筒部５１の外周側からエアオフガスを導入したが、これに限らない。すなわち、エアオフガスの通流する配管を筒部５１の内部に設けて、筒部５１の内側からエアオフガスを導入する、インナー型の加湿器としてもよい。
【図面の簡単な説明】
【００５９】
【図１】本発明の第１実施形態に係る加湿器が適用された燃料電池システムのブロック図である。
【図２】前記実施形態に係る加湿器の斜視図である。
【図３】前記実施形態に係る加湿器の断面図である。
【図４】前記実施形態に係る加湿器のＸ−Ｘ断面図およびＹ−Ｙ断面図である。
【図５】前記実施形態に係る加湿器について、燃料電池内の圧力と外周流出口の開口面積との関係を示す図である。
【図６】前記実施形態に係る加湿器の制御装置の動作を示すフローチャートである。
【図７】本発明の第２実施形態に係る加湿器の斜視図である。
【符号の説明】
【００６０】
１０      燃料電池
２４、２４Ａ      加湿器
３０      制御装置（制御部）
５０      ケース
５６      外周流出口（流出口）
５５      外周流入口（流入口）
６２      中空糸膜（膜体）
７０      流出口面積調整装置（流出口面積調整手段）
７１      流出口遮蔽部
７２      流出口遮蔽部移動機構
８０      流入口面積調整装置（流入口面積調整手段）
８１      流入口遮蔽部
８２      流入口遮蔽部移動機構
【図１】
2010146809.tif 000003
【図２】
2010146809.tif 000004
【図３】
2010146809.tif 000005
【図４】
2010146809.tif 000006
【図５】
2010146809.tif 000007
【図６】
2010146809.tif 000008
【図７】
2010146809.tif 000009